(57)【要約】【課題】複数の片口金型ランプの各々の光を他の片口金型ランプによって妨げられることなく一方に照射させ、複数の片口金型ランプが横置きまたは縦置きにされるいずれの場合にも安定器ユニットを共通部品とする。【解決手段】複数の片口金型ランプ２と、これらを収容してそれらの光を下方に反射するドーム状の反射板３と、複数の片口金型ランプ点灯用の安定器ユニット５とを備えた。安定器ユニット５は、例えば矩形状の実装基板５１、およびこの実装基板５１の長手方向に沿って搭載され複数の片口金型ランプ２がそれぞれ装着される複数のソケット５２により構成される安定器と、ケース５３およびカバー５４によりなり安定器を収容するハウジングとを備え、複数のソケット５２の各々が反射板３の開口面に沿って並ぶように反射板３の側方または後方（図１では側方）に設けられる。【選択図】　図１
2004111282.tif 000002
【特許請求の範囲】
【請求項１】
複数の片口金型ランプと、これら複数の片口金型ランプを収容してそれらの光を一方に反射する箱状の反射板と、前記複数の片口金型ランプ点灯用の安定器ユニットとを備える照明器具であって、
前記安定器ユニットは、一の方向に伸びる形状の実装基板、およびこの実装基板の一の方向に沿って搭載され前記複数の片口金型ランプがそれぞれ装着される複数のソケットにより構成される安定器と、この安定器を収容するハウジングとを備え、前記複数のソケットの各々が前記反射板の開口面に沿って並ぶように前記反射板の側方または後方に設けられる
ことを特徴とする照明器具。
【請求項２】
前記複数のソケットは前記実装基板における一の方向の一端側に搭載されていることを特徴とする請求項１記載の照明器具。
【請求項３】
前記複数のソケットは前記実装基板における一の方向と直交する方向の一端側に搭載されていることを特徴とする請求項１または２記載の照明器具。
【請求項４】
前記ハウジングは、前記片口金型ランプを前記ソケットに装着するための挿入孔を有し、この挿入孔は前記片口金型ランプのベース部の最大径よりも小さいことを特徴とする請求項１から３のいずれかに記載の照明器具。
【請求項５】
前記安定器ユニットが前記反射板の側方に取り付けられる場合、前記反射板の開口面に対して前記実装基板が立設されることを特徴とする請求項１から４のいずれかに記載の照明器具。
【請求項６】
前記安定器ユニットは、前記反射板の後方に取り付けられる場合、取付板を介して前記反射板の後方に取り付けられ、前記取付板には、前記安定器ユニットから遠ざかる方向に傾斜した突出部が延設されていることを特徴とする請求項１から４のいずれかに記載の照明器具。
【請求項７】
前記安定器ユニットは、前記反射板の後方に取り付けられる場合、取付板を介して前記反射板の後方に取り付けられ、前記ハウジングには前記取付板との間に空隙を設けるための立上り部が形成されていることを特徴とする請求項１から４のいずれかに記載の照明器具。
【請求項８】
前記安定器ユニットは前記ハウジングの立上り部で前記取付板に取り付けられ、前記取付板は前記片口金型ランプのベース部を囲繞する挿入孔を有していることを特徴とする請求項７記載の照明器具。
【請求項９】
前記反射板は、前記複数の片口金型ランプ挿入用の一の挿入孔を有していることを特徴とする請求項８記載の照明器具。
【請求項１０】
前記安定器ユニットは、前記実装基板を当接保持した状態で前記ハウジングに密着固定される絶縁部材をさらに備えることを特徴とする請求項１から９のいずれかに記載の照明器具。
【請求項１１】
前記ハウジングは鉄製のケースおよびアルミ製のカバーにより構成され、前記カバーは前記実装基板に設けられた放熱板と接触していることを特徴とする請求項１から１０のいずれかに記載の照明器具。
【請求項１２】
前記ハウジングはケースおよびカバーにより構成され、これらケースおよびカバーにはそれぞれ黒色系および白色系の塗装が施され、前記カバーは前記ケースと前記反射板との間に配置されることを特徴とする請求項１から１１のいずれかに記載の照明器具。
【発明の詳細な説明】
【０００１】
【発明の属する技術分野】
本発明は、複数の片口金型ランプと、これら複数の片口金型ランプを収容してそれらの光を一方に反射する箱状の反射板と、複数の片口金型ランプ点灯用の安定器ユニットとにより構成される照明器具に関するものである。
【０００２】
【従来の技術】
近年、地球環境問題が大きくクローズアップされる中で、様々な分野で省エネタイプの商品が求められている。照明器具の分野でも光源の高効率化が図られ、小型の片口金型蛍光ランプが開発されてからは、同じ明るさで比較した場合、白熱灯よりも低消費電力であるため、白熱灯との置き換えが進んできている。
【０００３】
高効率で高出力の片口金型蛍光ランプが開発され市販されることで、住宅分野では白熱灯からの置き換えがさらに加速している。非住宅分野においても、高効率で小型の蛍光ランプを複数灯使用する照明器具が開発され、ＨＩＤ光源用照明器具との置き換えが進んでいる。ＨＩＤランプについても、小型で高効率高出力のランプが多く開発されている。
【０００４】
図１０は従来の照明器具の構造説明図である。この図１０に示す従来の照明器具は、天井板Ｃに形成された丸穴Ｃ１から天井板Ｃの奥側に収容されるダウンライトであり、片口金型ランプ２と、この片口金型ランプ２を収容してその光を下方に反射するドーム状の反射板３ＰＡと、片口金型ランプ点灯用の安定器ユニット５ＰＡと、反射板３ＰＡに取り付けられ片口金型ランプ２および安定器ユニット５ＰＡを保持するための取付板１ＰＡとを備えている。なお、４は枠であり、５２はソケットである。
【０００５】
また、特開２００２−１２４１２０号公報（特許文献１）には、器具本体と、この器具本体に可動に設けられるランプソケットと、このランプソケットに装着される片口金ランプの周りを囲い片口金ランプの軸方向に対し略一致する軸方向を有して器具本体に固定された反射鏡と、ランプソケットに装着された片口金ランプを反射鏡に対して移動可能に操作する操作部を有して片口金ランプを反射鏡に対して位置制御する位置制御手段とを備え、操作部を反射鏡の反射面側から操作可能に設けた照明器具が記載されている。
【０００６】
【特許文献１】
特開２００２−１２４１２０号
【０００７】
【発明が解決しようとする課題】
しかしながら、上記従来の照明器具では、ソケットと安定器ユニットとが別体であるため、照明器具が大型になる。
【０００８】
また、ソケットと安定器ユニットとを一体化する場合、図１０に示すように片口金型ランプを横置きにするか、特開２００２−１２４１２０号公報のように片口金型ランプを縦置きにするかで、そのソケット一体型安定器を複数種類用意する必要がある。加えて、上記従来の照明器具は単灯用であるが、多灯用の照明器具を提供する場合、特に片口金型ランプが横置きとなる照明器具では、ある片口金型ランプの光が他の片口金型ランプによって妨げられることになり得るので、ソケット一体型安定器を共通部品として使用することが勢い困難となる。
【０００９】
なお、上記の如く、ソケットと安定器ユニットとを一体化して小型化し、高効率高出力化しようとすれば、安定器ユニットの温度上昇が問題となってくる。また、小型化により安定器ユニットが片口金型ランプに近づくことになるため、安定器ユニットの温度がより一層上昇することになる。図１０に示す従来の照明器具の構成では、図１１に示す矢印のような空気の対流となるので、小型化し高効率高出力化した安定器ユニットの温度上昇を好適に防止することは望めない。
【００１０】
本発明は、上記事情に鑑みてなされたものであり、複数の片口金型ランプの各々の光を他の片口金型ランプによって妨げられることなく一方に照射させることができ、しかも複数の片口金型ランプが横置きまたは縦置きにされるいずれの場合にも安定器ユニットを共通部品とすることができる照明器具を提供することを目的とする。
【００１１】
【課題を解決するための手段】
上記課題を解決するための請求項１記載の発明は、複数の片口金型ランプと、これら複数の片口金型ランプを収容してそれらの光を一方に反射する箱状の反射板と、前記複数の片口金型ランプ点灯用の安定器ユニットとを備える照明器具であって、前記安定器ユニットは、一の方向に伸びる形状の実装基板、およびこの実装基板の一の方向に沿って搭載され前記複数の片口金型ランプがそれぞれ装着される複数のソケットにより構成される安定器と、この安定器を収容するハウジングとを備え、前記複数のソケットの各々が前記反射板の開口面に沿って並ぶように前記反射板の側方または後方に設けられることを特徴とする。
【００１２】
請求項２記載の発明は、請求項１記載の照明器具において、前記複数のソケットは前記実装基板における一の方向の一端側に搭載されていることを特徴とする。
【００１３】
請求項３記載の発明は、請求項１または２記載の照明器具において、前記複数のソケットは前記実装基板における一の方向と直交する方向の一端側に搭載されていることを特徴とする。
【００１４】
請求項４記載の発明は、請求項１から３のいずれかに記載の照明器具において、前記ハウジングは、前記片口金型ランプを前記ソケットに装着するための挿入孔を有し、この挿入孔は前記片口金型ランプのベース部の最大径よりも小さいことを特徴とする。
【００１５】
請求項５記載の発明は、請求項１から４のいずれかに記載の照明器具において、前記安定器ユニットが前記反射板の側方に取り付けられる場合、前記反射板の開口面に対して前記実装基板が立設されることを特徴とする。
【００１６】
請求項６記載の発明は、請求項１から４のいずれかに記載の照明器具において、前記安定器ユニットは、前記反射板の後方に取り付けられる場合、取付板を介して前記反射板の後方に取り付けられ、前記取付板には、前記安定器ユニットから遠ざかる方向に傾斜した突出部が延設されていることを特徴とする。
【００１７】
請求項７記載の発明は、請求項１から４のいずれかに記載の照明器具において、前記安定器ユニットは、前記反射板の後方に取り付けられる場合、取付板を介して前記反射板の後方に取り付けられ、前記ハウジングには前記取付板との間に空隙を設けるための立上り部が形成されていることを特徴とする。
【００１８】
請求項８記載の発明は、請求項７記載の照明器具において、前記安定器ユニットは前記ハウジングの立上り部で前記取付板に取り付けられ、前記取付板は前記片口金型ランプのベース部を囲繞する挿入孔を有していることを特徴とする。
【００１９】
請求項９記載の発明は、請求項８記載の照明器具において、前記反射板は、前記複数の片口金型ランプ挿入用の一の挿入孔を有していることを特徴とする。
【００２０】
請求項１０記載の発明は、請求項１から９のいずれかに記載の照明器具において、前記安定器ユニットは、前記実装基板を当接保持した状態で前記ハウジングに密着固定される絶縁部材をさらに備えることを特徴とする。
【００２１】
請求項１１記載の発明は、請求項１から１０のいずれかに記載の照明器具において、前記ハウジングは鉄製のケースおよびアルミ製のカバーにより構成され、前記カバーは前記実装基板に設けられた放熱板と接触していることを特徴とする。
【００２２】
請求項１２記載の発明は、請求項１から１１のいずれかに記載の照明器具において、前記ハウジングはケースおよびカバーにより構成され、これらケースおよびカバーにはそれぞれ黒色系および白色系の塗装が施され、前記カバーは前記ケースと前記反射板との間に配置されることを特徴とする。
【００２３】
【発明の実施の形態】
（第１実施形態）
図１は本発明に係る第１実施形態の照明器具の構造説明図、図２は同照明器具に使用される片口金型ランプの構造説明図、図３は同照明器具に使用される安定器ユニットの構造説明図、図４は同安定器ユニットの分解図、図５は同安定器ユニットの断面図である。
【００２４】
第１実施形態の照明器具は、図１に示すように、天井板Ｃに形成された丸穴Ｃ１から天井板Ｃの奥側に収容されるダウンライトであり、天井板Ｃに着脱自在に固定される取付部材１と、複数（図１では２個）の片口金型ランプ２と、これら複数の片口金型ランプ２を収容してそれらの光を下方に反射するドーム状の反射板３と、この反射板３の開口縁部３０に外向きのフランジ部として設けられ反射板３の開口縁部３０と天井板Ｃとの間における丸穴Ｃ１による隙間を覆い隠すための枠４と、複数の片口金型ランプ点灯用の安定器ユニット（ソケット一体型安定器）５とを備えている。
【００２５】
取付部材１は、吊り金具１１と、複数（図では３つ）のはさみ金具１２と、ソケットカバー１３と、これらが下面に固定される例えば金属製で矩形状の天板１０とにより構成されている。
【００２６】
吊り金具１１は、端部１１１，１１２を有するコ字状に屈曲された金属板により構成され、下方の端部１１１に反射板３をねじ止めするためのねじ孔を有し、上方の端部１１２で天板１０の下面に例えばリベットにより固定されている。これにより、ツマミねじ６を用いて反射板３を吊り金具１１の端部１１１にねじ止めすれば、反射板３が吊り金具１１の端部１１１で吊り下げ固定されることになる。
【００２７】
各はさみ金具１２は、天板１０の下面から、吊り金具１１の端部１１１で吊り下げ固定された反射板３の開口縁部３０まで伸びる寸法に設定された長尺状の金属部材からなり、当該はさみ金具１２の一端部１２１が天板１０の下面に例えばリベットにより固定され、当該はさみ金具１２の他端部１２２で枠４を保持している。また、各はさみ金具１２には、枠４を保持している他端部１２２とともに天井板Ｃを狭持するための狭持部材１２３が設けられている。したがって、はさみ金具１２の他端部１２２とその狭持部材１２３とにより天井板Ｃを狭持させれば、取付部材１が天井板Ｃに固定されることになる。
【００２８】
ソケットカバー１３は、天板１０の下面に例えばねじ止めされて下方に立設される金属板により構成され、下方に伸びる一の側面部１３０に安定器ユニット５がねじ止めされ、安定器ユニット５内の後述の各ソケットに各片口金型ランプ２を装着するための挿入孔（図示せず）をその側面部１３０に有している。
【００２９】
片口金型ランプ２は、片口金型蛍光ランプであり、図２に示すように、同心円上に配列される複数（図では６）本管形状の一の管であってこの管の各端部内にフィラメントＦを含む発光管２０と、各フィラメントＦの両端に電気的に接続される複数（４本）のランプピン２１と、発光管２０の片側を保持するベース部２２とにより構成されている。
【００３０】
反射板３は、図１に示すように、例えば金属板により円状開口のドーム状に形成され、当該反射板３の極にツマミねじ６のねじ部挿通用の挿通孔を有しているとともに、当該反射板３における極と開口縁部３０との間の面に複数の片口金型ランプ２の先端側をそれぞれ挿入するための複数の挿入孔３１を有している。
【００３１】
安定器ユニット５は、図３，図４に示すように、各種電子部品が実装された例えば矩形状の実装基板５１、およびこの実装基板５１の長手方向（一の方向）に沿って搭載され複数の片口金型ランプ２がそれぞれ装着される複数のソケット５２により構成される安定器と、例えば鉄製のケース５３および例えばアルミ製のカバー５４によりなり上記安定器を収容するハウジングと、実装基板５１を保持した状態でハウジングのケース５３に例えばねじ５６により固定される絶縁部材５５とを備え、複数のソケット５２の各々が反射板３の開口面に沿って並ぶように反射板３の側方または後方に設けられる。第１実施形態では、安定器ユニット５は反射板３の側方に設けられ、この場合、実装基板５１は反射板３の開口面に対して立設される。また、各ソケット５２は、電線ではなく接続ピンにて実装基板５１と電気的接続される。
【００３２】
複数のソケット５２は、実装基板５１における長手方向の一端側（図４では左端側）であって、その短手方向の一端側（図３（ｂ）では下側）に搭載されている。そして、例えばインバータ回路などの各種回路の電子部品は、実装基板５１における長手方向の他端側に実装されている。
【００３３】
ケース５３は、矩形状の底部５３０およびこの長手方向側で同一方向に屈曲する両側部５３１，５３２を一体に有する形状に形成され、例えば黒色系の塗装が施されている。また、ケース５３の両側部５３１，５３２における長手方向の一端側（図３（ａ），（ｂ），図４では左端側）には、先端外向きのフランジ部５３１ａ，５３２ａを有した立上り部５３１ｂ，５３２ｂがそれぞれ形成されている一方、底部５３０，両側部５３１，５３２における他端側には、多数の放熱孔５３ａが形成されている。さらに、放熱孔５３ａは、両側部５３１，５３２における一端側にも形成されている。なお、フランジ部５３１ａ，５３２ａには、安定器ユニット５をソケットカバー１３にねじ止めするためのねじ挿通孔が形成されている。
【００３４】
カバー５４は、矩形状の底部５４０およびこの短手方向側で同一方向に屈曲する両側部５４１，５４２を一体に有する形状に形成され、ケース５３と反射板３との間に配置される。また、カバー５４には例えば白色系の塗装が施されており、底部５４０における各種電子部品実装領域に対応する側には、多数の放熱孔が形成され、側部５４２にも放熱孔５４ａが形成されている。さらに、カバー５４には片口金型ランプ２をソケット５２に装着するための一対の挿入孔（第２実施形態の図６（ａ）中の５４ｂ参照）を有し、これら一対の挿入孔は片口金型ランプ２のベース部２２の最大径よりも小さくなっている。また、カバー５４は、実装基板５１に搭載された複数の放熱板と接触するようになっている。
【００３５】
絶縁部材５５は、実装基板５１をこのはんだ面側から当接保持する板状に形成され、ハウジングのケース５３に密着固定され、ハウジング内への実装基板５１の収納時に実装基板５１をハウジングに対して絶縁する。
【００３６】
このように構成される照明器具は、例えば、反射板３が取り付けられていない状態で、天井板Ｃの丸穴Ｃ１内に安定器ユニット５側を挿入し、次いで各はさみ金具１２の他端部１２２とその狭持部材１２３とにより天井板Ｃを狭持させ、この後、ツマミねじ６を用いて反射板３を吊り金具１１の端部１１１にねじ止めすれば、天井板Ｃの奥側に収容固定される。なお、吊り金具１１の端部１１１への反射板３のねじ止め後に、各はさみ金具１２の他端部１２２に枠４を保持させる手順でもよく、また枠４は反射板３に固定される構造でもよい。
【００３７】
以上のように、複数のソケット５２を実装基板５１の長手方向に沿って搭載したことにより、安定器ユニット５を反射板の側方または後方のいずれに設けた場合でも、複数のソケット５２の各々を反射板の開口面に沿って並べることができるため、複数の片口金型ランプ２の各々の光を他の片口金型ランプ２によって妨げられることなく下方に照射させることができ、しかも複数の片口金型ランプ２が横置きまたは縦置きにされるいずれの場合にも安定器ユニット５を共通部品とすることができる。
【００３８】
多数の放熱孔を持つハウジングとこのハウジング内に収納された実装基板５１とを含む安定器ユニット５が反射板３の側方に設けられ、実装基板５１が反射板３の開口面に対して立設されるので、図５に示すように、安定器ユニット５内の鉛直方向の空気の対流を促進させることができ、安定器ユニット５内の温度を効果的に低減することが可能となる。
【００３９】
複数のソケット５２が実装基板５１に搭載されるので、実装基板５１およびソケット５２間の電線が不要となり、コスト削減が可能となるほか、高効率な照明器具を提供することができる。
【００４０】
（第２実施形態）
図６，図７は本発明に係る第２実施形態の照明器具の構造説明図、図８は同照明器具に使用される安定器ユニットの構造説明図、図９は同照明器具に使用される取付板の構造説明図である。
【００４１】
第２実施形態の照明器具は、図６〜図８に示すように、天井板Ｃに形成された丸穴Ｃ１から天井板Ｃの奥側に収容されるダウンライトであり、複数（図では２個）の片口金型ランプ２と、枠４と、安定器ユニット５とを第１実施形態と同様に備えているほか、第１実施形態との相違点として、天井板Ｃに着脱自在に固定される取付部材１Ａと、複数の片口金型ランプ２を収容してそれらの光を下方に反射するドーム状の反射板３Ａとを備えている。
【００４２】
取付部材１Ａは、図６，図７，図９に示すように、一対の吊り金具１１Ａと、複数（図では２つ）のはさみ金具１２Ａと、これらが下面に固定される例えば金属製で四角形状の取付板１０Ａとにより構成されている。なお、はさみ金具１２Ａは、２つに限らず、第１実施形態と同様に３つでも構わない。
【００４３】
吊り金具１１Ａは、端部１１１Ａ，１１２Ａを有するコ字状に屈曲された金属板により構成され、下方の端部１１１Ａに反射板３をねじ止めするためのねじ孔を有し、上方の端部１１２Ａで取付板１０Ａの下面に例えばリベットにより固定されている。これにより、一対のツマミねじ６を用いて反射板３Ａを一対の吊り金具１１Ａの端部１１１Ａにねじ止めすれば、反射板３Ａが一対の吊り金具１１Ａの端部１１１Ａで吊り下げ固定されることになる。
【００４４】
各はさみ金具１２Ａは、取付板１０Ａの下面から、一対の吊り金具１１Ａの端部１１１Ａで吊り下げ固定された反射板３Ａの開口縁部３０Ａまで伸びる寸法に設定された長尺状の金属部材からなり、当該はさみ金具１２Ａの一端部１２１Ａが取付板１０Ａの下面に例えばリベットにより固定され、当該はさみ金具１２Ａの他端部１２２Ａで枠４を保持している。また、各はさみ金具１２Ａには、枠４を保持している他端部１２２Ａとともに天井板Ｃを狭持するための狭持部材（図示せず）が設けられている。したがって、はさみ金具１２Ａの他端部１２２Ａとその狭持部材とにより天井板Ｃを狭持させれば、取付部材１Ａが天井板Ｃに固定されることになる。
【００４５】
取付板１０Ａには、安定器ユニット５における各種電子部品実装領域から遠ざかる方向に傾斜した突出部１００Ａが延設されているとともに、各片口金型ランプ２のベース部２２を囲繞する一の挿入孔１０１Ａが形成されている。
【００４６】
反射板３Ａは、例えば金属板により円状開口のドーム状に形成され、当該反射板３Ａの極近傍にツマミねじ６のねじ部挿通用の挿通孔３２を一対有しているとともに、当該反射板３Ａにおける極側の面に複数の片口金型ランプ２の先端側を挿入するための一の挿入孔３１Ａを有している。
【００４７】
ただし、第２実施形態では、安定器ユニット５は反射板３Ａの後方に設けられ、各片口金型ランプ２が立てた状態で反射板３Ａ内に上方から挿入される構造であるため、反射板３Ａの鉛直方向の寸法は、第１実施形態の反射板３よりも長くなっており、各はさみ金具１２Ａも長くなっている。また、安定器ユニット５は取付板１０Ａの上面に例えばねじ止めされる。
【００４８】
このように構成される照明器具は、例えば、反射板３Ａが取り付けられていない状態で、天井板Ｃの丸穴Ｃ１内に安定器ユニット５側を挿入し、次いで各はさみ金具１２Ａの他端部１２２Ａとその狭持部材とにより天井板Ｃを狭持させ、この後、一対のツマミねじ６を用いて反射板３Ａを一対の吊り金具１１Ａの端部１１１Ａにねじ止めすれば、天井板Ｃの奥側に収容固定される。
【００４９】
以上のように、複数のソケット５２を実装基板５１の長手方向に沿って搭載したことにより、安定器ユニット５を反射板の側方または後方のいずれに設けた場合でも、複数のソケット５２の各々を反射板の開口面に沿って並べることができるため、複数の片口金型ランプ２の各々の光を他の片口金型ランプ２によって妨げられることなく下方に照射させることができ、しかも複数の片口金型ランプ２が横置きまたは縦置きにされるいずれの場合にも安定器ユニット５を共通部品とすることができる。
【００５０】
カバー５４には片口金型ランプ２をソケット５２に装着するための一対の挿入孔５４ｂを有し、これら一対の挿入孔５４ｂは片口金型ランプ２のベース部２２の最大径よりも小さくなっているので、各片口金型ランプ２による空気を媒体とする高温の対流が安定器ユニット５内に侵入し難くなるため、安定器ユニット５の温度上昇を抑制することができる。
【００５１】
取付板１０Ａには、安定器ユニット５から遠ざかる方向に傾斜した突出部１００Ａが延設されているので、各片口金型ランプ２による空気を媒体とする高温の対流が安定器ユニット５に届き難くなるため、安定器ユニット５の温度上昇を抑制することができる。
【００５２】
ハウジングにおけるケース５３には取付板１０Ａとの間に空隙を設けるための立上り部５３１ｂ，５３２ｂが形成されているので、各片口金型ランプ２による空気を媒体とする高温の対流が空隙を通って安定器ユニット５外を迂回しながら上昇することになるため、安定器ユニット５内の温度上昇を抑制することができる。
【００５３】
取付板１０Ａが片口金型ランプ２のベース部２２を囲繞する挿入孔１０１Ａを有しているので、各片口金型ランプ２による空気を媒体とする高温の対流が安定器ユニット５内に侵入し難くなるため、安定器ユニット５の温度上昇を抑制することができる。
【００５４】
反射板３Ａが複数の片口金型ランプ挿入用の一の挿入孔３１Ａを有しているので、各片口金型ランプ２による空気を媒体とする高温の対流が器具外に放出されることになるため、照明器具の温度上昇を抑制することができる。
【００５５】
安定器ユニット５が、実装基板５１を当接保持した状態でハウジングに密着固定される絶縁部材５５を備えるので、安定器の熱がハウジングに伝わり易くなるため、安定器ユニット５内の温度上昇を抑制することができる。
【００５６】
カバー５４が実装基板５１に設けられた放熱板と接触しているので、実装基板５１上の高温部品が放熱板で放熱されるとともに、放熱板と接触しているカバー５４で放熱されることになるため、安定器ユニット５内の温度上昇を抑制することができる。
【００５７】
ケース５３およびカバー５４にはそれぞれ黒色系および白色系の塗装が施されているので、各片口金型ランプ２からの光がカバー５４で反射し、放射率の良い黒色のケース５３で空気中への熱放射が促進されるため、安定器ユニット５の温度上昇を抑制することができる。
【００５８】
なお、第１，第２実施形態では、片口金型ランプ２を２個備える構成になっているが、これに限らず、複数のソケット５２が実装基板の長手方向に沿って搭載される構造であれば、片口金型ランプ２を３個以上備える構成でもよく、この構成でも、複数の片口金型ランプ２の各々の光を他の片口金型ランプ２によって妨げられることなく下方に照射させることができ、安定器ユニットを共通部品とすることができる。
【００５９】
【発明の効果】
以上のことから明らかなように、請求項１記載の発明は、複数の片口金型ランプと、これら複数の片口金型ランプを収容してそれらの光を一方に反射する箱状の反射板と、前記複数の片口金型ランプ点灯用の安定器ユニットとを備える照明器具であって、前記安定器ユニットは、一の方向に伸びる形状の実装基板、およびこの実装基板の一の方向に沿って搭載され前記複数の片口金型ランプがそれぞれ装着される複数のソケットにより構成される安定器と、この安定器を収容するハウジングとを備え、前記複数のソケットの各々が前記反射板の開口面に沿って並ぶように前記反射板の側方または後方に設けられるので、複数の片口金型ランプの各々の光を他の片口金型ランプによって妨げられることなく一方に照射させることができ、しかも複数の片口金型ランプが横置きまたは縦置きにされるいずれの場合にも安定器ユニットを共通部品とすることができる。
【００６０】
請求項２記載の発明は、請求項１記載の照明器具において、前記複数のソケットは前記実装基板における一の方向の一端側に搭載されているのであり、この構成でも、第１実施形態と同様の効果を奏することができる。
【００６１】
請求項３記載の発明は、請求項１または２記載の照明器具において、前記複数のソケットは前記実装基板における一の方向と直交する方向の一端側に搭載されているのであり、この構成でも、第１実施形態と同様の効果を奏することができる。
【００６２】
請求項４記載の発明は、請求項１から３のいずれかに記載の照明器具において、前記ハウジングは、前記片口金型ランプを前記ソケットに装着するための挿入孔を有し、この挿入孔は前記片口金型ランプのベース部の最大径よりも小さいので、各片口金型ランプによる空気を媒体とする高温の対流が安定器ユニット内に侵入し難くなるため、安定器ユニットの温度上昇を抑制することができる。
【００６３】
請求項５記載の発明は、請求項１から４のいずれかに記載の照明器具において、前記安定器ユニットが前記反射板の側方に取り付けられる場合、前記反射板の開口面に対して前記実装基板が立設されるので、実装基板の両面が空気の対流を受けるため、安定器ユニットの温度上昇を抑制することができる。
【００６４】
請求項６記載の発明は、請求項１から４のいずれかに記載の照明器具において、前記安定器ユニットは、前記反射板の後方に取り付けられる場合、取付板を介して前記反射板の後方に取り付けられ、前記取付板には、前記安定器ユニットから遠ざかる方向に傾斜した突出部が延設されているので、各片口金型ランプによる空気を媒体とする高温の対流が安定器ユニットに届き難くなるため、安定器ユニットの温度上昇を抑制することができる。
【００６５】
請求項７記載の発明は、請求項１から４のいずれかに記載の照明器具において、前記安定器ユニットは、前記反射板の後方に取り付けられる場合、取付板を介して前記反射板の後方に取り付けられ、前記ハウジングには前記取付板との間に空隙を設けるための立上り部が形成されているので、各片口金型ランプによる空気を媒体とする高温の対流が空隙を通って安定器ユニット外を迂回しながら上昇することになるため、安定器ユニット内の温度上昇を抑制することができる。
【００６６】
請求項８記載の発明は、請求項７記載の照明器具において、前記安定器ユニットは前記ハウジングの立上り部で前記取付板に取り付けられ、前記取付板は前記片口金型ランプのベース部を囲繞する挿入孔を有しているので、各片口金型ランプによる空気を媒体とする高温の対流が安定器ユニット内に侵入し難くなるため、安定器ユニットの温度上昇を抑制することができる。
【００６７】
請求項９記載の発明は、請求項８記載の照明器具において、前記反射板は、前記複数の片口金型ランプ挿入用の一の挿入孔を有しているので、各片口金型ランプによる空気を媒体とする高温の対流が器具外に放出されることになるため、照明器具の温度上昇を抑制することができる。
【００６８】
請求項１０記載の発明は、請求項１から９のいずれかに記載の照明器具において、前記安定器ユニットは、前記実装基板を当接保持した状態で前記ハウジングに密着固定される絶縁部材をさらに備えるので、安定器の熱がハウジングに伝わり易くなるため、安定器ユニット内の温度上昇を抑制することができる。
【００６９】
請求項１１記載の発明は、請求項１から１０のいずれかに記載の照明器具において、前記ハウジングは鉄製のケースおよびアルミ製のカバーにより構成され、前記カバーは前記実装基板に設けられた放熱板と接触しているので、実装基板上の高温部品が放熱板で放熱されるとともに、放熱板と接触しているカバーで放熱されることになるため、安定器ユニット内の温度上昇を抑制することができる。
【００７０】
請求項１２記載の発明は、請求項１から１１のいずれかに記載の照明器具において、前記ハウジングはケースおよびカバーにより構成され、これらケースおよびカバーにはそれぞれ黒色系および白色系の塗装が施され、前記カバーは前記ケースと前記反射板との間に配置されるので、各片口金型ランプからの光がカバーで反射し、放射率の良い黒色のケースで空気中への熱放射が促進されるため、安定器ユニットの温度上昇を抑制することができる。
【図面の簡単な説明】
【図１】本発明に係る第１実施形態の照明器具の構造説明図である。
【図２】同照明器具に使用される片口金型ランプの構造説明図である。
【図３】同照明器具に使用される安定器ユニットの構造説明図である。
【図４】同安定器ユニットの分解図である。
【図５】同安定器ユニットの断面図である。
【図６】本発明に係る第２実施形態の照明器具の構造説明図である。
【図７】同照明器具の構造説明図である。
【図８】同照明器具に使用される安定器ユニットの構造説明図である。
【図９】同照明器具に使用される取付板の構造説明図である。
【図１０】従来の照明器具の構造説明図である。
【図１１】同照明器具に使用される安定器ユニットの構造説明図である。
【符号の説明】
１，１Ａ　取付部材
１０　天板
１０Ａ　取付板
１１，１１Ａ　吊り金具
１２，１２Ａ　はさみ金具
１３　ソケットカバー
２　片口金型ランプ
３，３Ａ　反射板
４　枠
５　安定器ユニット
５１　実装基板
５２　ソケット
５３　ケース
５４　カバー
５５　絶縁部材
６　ツマミねじ
【図１】
2004111282.tif 000003
【図２】
2004111282.tif 000004
【図３】
2004111282.tif 000005
【図４】
2004111282.tif 000006
【図５】
2004111282.tif 000007
【図６】
2004111282.tif 000008
【図７】
2004111282.tif 000009
【図８】
2004111282.tif 000010
【図９】
2004111282.tif 000011
【図１０】
2004111282.tif 000012
【図１１】
2004111282.tif 000013